(57)【要約】【課題】定量の内容物の吐出操作が容易である塗布具付き容器を提供すること。【解決手段】内容物を収容する容器本体１１と、容器本体１１の口部１１Ａを覆い、内容物の吐出孔が形成された被覆体１２と、吐出孔１２Ａを開閉する蓋体１３と、被覆体１２と蓋体１３との間に配設された塗布具１４と、を備え、塗布具１４には、吐出孔１２Ａに向けて開口する計量凹部１４Ａが形成されている。また、塗布具１４が、弾性変形可能に形成されていると共に、蓋体１３により弾性変形されて吐出孔１２Ａを開放可能に閉塞している。【選択図】図１
2018086223.tif 000002
【特許請求の範囲】
【請求項１】
内容物を収容する容器本体と、
前記容器本体の口部を覆い、内容物の吐出孔が形成された被覆体と、
前記吐出孔を開閉する蓋体と、
前記被覆体と前記蓋体との間に配設された塗布具と、
を備え、
前記塗布具には、前記吐出孔に向けて開口する計量空間が形成されていることを特徴とする塗布具付き容器。
【請求項２】
前記塗布具が、弾性変形可能に形成されていると共に、前記蓋体により弾性変形されて前記吐出孔を開放可能に閉塞していることを特徴とする請求項１に記載の塗布具付き容器。
【請求項３】
内側に前記容器本体及び前記被覆体を収容する外殻体を備え、
前記容器本体が、圧縮変形可能に形成されており、
前記被覆体が、前記外殻体内に容器軸方向に移動可能に配設されていることを特徴とする請求項１または２に記載の塗布具付き容器。
【請求項４】
前記被覆体には、前記計量空間内に突出する吐出筒部が設けられていることを特徴とする請求項１から３のいずれか１項に記載の塗布具付き容器。
【発明の詳細な説明】
【技術分野】
【０００１】
本発明は、塗布具付き容器に関する。
【背景技術】
【０００２】
この種の塗布具付き容器として、内容物を収容する容器本体と、容器本体の口部を覆い、内容物の吐出孔が形成された被覆体と、吐出孔を開閉する蓋体と、被覆体と蓋体との間に配設された塗布具と、を備える構成が知られている（例えば、特許文献１参照）。
このような塗布具付き容器では、容器本体と被覆体とを相対的に容器軸回りに回転させて被覆体を下降させることにより、内容物が吐出孔を通して被覆体上に押し出される。
【先行技術文献】
【特許文献】
【０００３】
【特許文献１】特開２００５−１０３１０８号公報
【発明の概要】
【発明が解決しようとする課題】
【０００４】
しかしながら、上記従来の塗布具付き容器では、内容物を取り出すために容器本体と被覆体とを容器軸回りに相対的に回転させる必要があるため、内容物の吐出操作が複雑である。
そこで、本発明は、定量の内容物の吐出操作が容易である塗布具付き容器を提供することを目的とする。
【課題を解決するための手段】
【０００５】
本発明は、上記課題を解決するために以下のような手段を採用した。すなわち、本発明の塗布具付き容器は、内容物を収容する容器本体と、前記容器本体の口部を覆い、内容物の吐出孔が形成された被覆体と、前記吐出孔を開閉する蓋体と、前記被覆体と前記蓋体との間に配設された塗布具と、を備え、前記塗布具には、前記吐出孔に向けて開口する計量空間が形成されていることを特徴とする。
【０００６】
この発明では、塗布具付き容器を傾けるまたは上下反転させると、吐出孔を通して内容物が形容空間の容積分だけ計量空間内に吐出されて計量される。このように、塗布具付き容器を傾けるなどするだけで定量の内容物を吐出させることができるので、吐出操作が容易になる。なお、内容物を計量空間内に吐出させた後に塗布具付き容器を正立姿勢に戻して計量空間内の内容物を被覆体上に移動させ、被覆体上の内容物を塗布具を用いて適量ずつ被塗布面に塗布してもよい。
【０００７】
また、本発明の塗布具付き容器では、前記塗布具が、弾性変形可能に形成されていると共に、前記蓋体により弾性変形されて前記吐出孔を開放可能に閉塞してもよい。
この発明では、蓋体を装着した状態では塗布具が吐出孔を閉塞しているため、例えば搬送中などにおいて、吐出孔から内容物が漏洩することを防止できる。また、蓋体を取り外すことによって塗布具が復元変形するので、内容物を計量するための計量空間を容易に確保できる。
【０００８】
また、本発明の塗布具付き容器では、内側に前記容器本体及び前記被覆体を収容する外殻体を備え、前記容器本体が、圧縮変形可能に形成されており、前記被覆体が、前記外殻体内に容器軸方向に移動可能に配設されてもよい。
この発明では、被覆体を外殻体内へ押し込むことにより、容器本体が圧縮変形して容器本体の内圧が上昇し、内容物が容器本体内の空気と共に吐出孔を通して計量空間内に吐出される。これにより、容器本体内の内容物が少量となった場合であっても、内容物を効率よく計量空間内に吐出させて内容物を計量できる。
【０００９】
また、本発明の塗布具付き容器では、前記被覆体には、前記計量空間内に突出する吐出筒部が設けられてもよい。
この発明では、内容物を計量空間内に吐出させた後に塗布具付き容器を正立姿勢に戻す場合に、計量空間内の内容物を被覆体上に移動させた際に被覆体上の内容物が容器本体内に戻りにくくなるので、内容物をより精度良く計量できる。
【発明の効果】
【００１０】
この発明に係る塗布具付き容器によれば、塗布具付き容器を傾けるなどするだけで計量空間内に内容物を吐出させることができるので、内容物の吐出操作が容易になる。
【図面の簡単な説明】
【００１１】
【図１】本発明の一実施形態における塗布具付き容器を示す軸方向断面図である。
【図２】図１の塗布具付き容器の使用方法を説明する軸方向断面図である。
【図３】同じく、図１の塗布具付き容器の使用方法を説明する軸方向断面図である。
【発明を実施するための形態】
【００１２】
以下、本発明による塗布具付き容器の一実施形態を、図面に基づいて説明する。なお、以下の説明に用いる各図面では、各部材を認識可能とするために縮尺を適宜変更している。
本実施形態にかかる塗布具付き容器１は、図１に示すように、内容物を収容する有底円筒状の容器本体１１と、容器本体１１の口部１１Ａを覆い、内容物の吐出孔１２Ａが形成された有底円筒状の被覆体１２と、吐出孔１２Ａを開閉する有頂円筒状の蓋体１３と、被覆体１２と蓋体１３との間に配設された塗布具１４と、内側に容器本体１１及び被覆体１２を一体に収容する有底円筒状の外殻体１５と、を備える。
【００１３】
これら容器本体１１、被覆体１２、蓋体１３及び外殻体１５は、それぞれの中心軸線を共通軸上に位置させた状態で配設されている。以下、この共通軸を容器軸Ｏと称し、図１において容器軸Ｏに沿う蓋体１３側を上側、その反対側を下側とし、容器軸Ｏから見た平面視で容器軸Ｏに直交する方向を径方向、容器軸Ｏ回りに周回する方向を周方向と称する。
【００１４】
容器本体１１は、例えば熱可塑性エラストマのような被覆体１２、蓋体１３及び外殻体１５よりも軟らかい材料によって、圧縮変形可能に形成されている。なお、容器本体１１は、圧縮変形可能なように、例えば蛇腹状の構造など、他の適宜異なる構造を有していてもよい。
容器本体１１は、平面視で円形状の底壁部２１と、底壁部２１の外周縁から上方に向けて延設された円筒状の周壁部２２と、を有する。周壁部２２の内径及び外径は、上方に向かうにしたがって漸次拡径している。また、周壁部２２の上端部を構成する口部１１Ａは、厚肉とされており、上方に開口する溝部１１Ｂが全周にわたって形成されている。
なお、容器本体１１内に収容されている内容物は、例えばパウダー状の化粧料の内容物となっている。ここで、内容物は、粉体に限らず、粒状体など他の形態の内容物であってもよく、また、化粧用の内容物に限定されない。
【００１５】
被覆体１２は、平面視で円形状の下壁部３１と、下壁部３１の外周縁から下方に向けて延設された円筒状の側壁部３２と、を有し、外殻体１５内で外殻体１５に対して上下動可能に配設されている。
下壁部３１の中央部には、容器本体１１の内側に連通する円筒状の吐出筒部３３が立設されており、吐出筒部３３の上端開口部は、吐出孔１２Ａとなっている。吐出筒部３３の内径及び外径は、上方に向かうにしたがって漸次縮径している。
また、下壁部３１の外周縁部には、口部１１Ａの溝部１１Ｂ内に嵌合される円環状の環状突部３４が下方に向けて突設されている。
側壁部３２は、下壁部３１に対して上下双方に突出しており、この側壁部３２の下端部は、口部１１Ａの下端縁に対して口部１１Ａの下方から係止している。
【００１６】
蓋体１３は、平面視で円形状の上壁部４１と、上壁部４１の外周縁から下方に向けて延設された円筒状の筒壁部４２と、を有する。
上壁部４１は、塗布具１４の中央部を上方から下方に向けて押し込み、塗布具１４を弾性変形させている。
筒壁部４２の内周面には、雌ネジ部が形成されている。
【００１７】
塗布具１４は、円盤状をなす化粧用のパフなどであり、例えばウレタンやＮＢＲ（ニトリルゴム）のような被覆体１２及び蓋体１３よりも軟らかい材料で形成されている。塗布具１４の下面の中央部には、図２に示すように復元変形した状態で上方に向けて陥没する半球状の計量凹部（計量空間）１４Ａが形成されている。塗布具１４のうち計量凹部１４Ａを画成する内面は、図１に示すように、塗布具１４が蓋体１３の上壁部４１によって下方に押し込まれているので、弾性変形して吐出筒部３３の上端部に当接し、吐出孔１２Ａを閉塞している。なお、塗布具１４のうち計量凹部１４Ａを画成する内面は、図２に示すように復元変形した状態で、吐出筒部３３を径方向外側及び上方から一体に囲むように形成されている。
【００１８】
外殻体１５は、図１に示すように、平面視で円形状の下板部５１と、下板部５１の外周縁から上方に向けて延設された円筒状の周板部５２と、を有する。
周板部５２の上側部分の外周面には、周壁部２２の雌ネジ部と螺合する雄ネジ部が形成されている。また、周板部５２内には、側壁部３２が上下摺動可能に嵌合されている。
【００１９】
次に、以上のような構成の塗布具付き容器１の使用方法を説明する。
まず、蓋体１３を外殻体１５に対して回転させて外殻体１５から取り外す。蓋体１３を取り外すと、図２に示すように、蓋体１３によって上下方向で圧縮されていた塗布具１４が復元変形し、吐出孔１２Ａが開放される。これにより、吐出孔１２Ａを囲む計量凹部１４Ａが画成される。
【００２０】
そして、この状態で塗布具付き容器１を上下反転させて倒立姿勢とする。上下反転させると、図３に示すように、容器本体１１内に収容されている内容物は、吐出孔１２Ａから計量凹部１４Ａ内に吐出される。これにより、計量凹部１４Ａ内に内容物が計量される。その後、塗布具付き容器１を再び上下反転させて正立姿勢とする。正立姿勢とすると、計量凹部１４Ａ内の内容物の一部は、吐出孔１２Ａを通って容器本体１１内に戻るが、計量凹部１４Ａ内の内容物のうちの他の部分は、容器本体１１内に戻らず、被覆体１２の下壁部３１上に移る。
【００２１】
ここで、吐出筒部３３の内径及び外径が上方に向かうにしたがって漸次縮径するように窄んでいるため、塗布具付き容器１を倒立姿勢にしたときに内容物が吐出筒部３３の内周面に沿って吐出孔１２Ａに向けて案内されると共に、塗布具付き容器１を再度上下反転させて正立姿勢としたときに、下壁部３１上に移った内容物が容器本体１１に戻りにくくなる。
そして、下壁部３１上に計量された内容物を塗布具１４を用いて適量ずつ被塗布面に塗布する。
【００２２】
なお、容器本体１１内に収容されている内容物が少なくなっている場合には、塗布具付き容器１を上下反転させた状態で、塗布具１４を被覆体１２に対して押し込む。被覆体１２を押し込むと、被覆体１２が外殻体１５内で下方に摺動しながら、容器本体１１が圧縮変形する。これにより、容器本体１１の内圧が上昇し、容器本体１１内の内容物が計量凹部１４Ａ内に吐出される。容器本体１１の押し込みを解除すると、容器本体１１は復元変形する。
以上のようにして、塗布具付き容器１を使用する。
【００２３】
以上、本実施形態に係る塗布具付き容器１によれば、塗布具付き容器１を倒立姿勢とするだけで計量凹部１４Ａ内に内容物を吐出させることができるので、内容物の吐出操作が容易になる。
蓋体１３を装着した状態では塗布具１４が吐出孔１２Ａを閉塞しているため、塗布具付き容器１の搬送時などに、吐出孔１２Ａから内容物が漏洩することを防止できる。
容器本体１１内の内容物が少量となったときであっても、被覆体１２を外殻体１５内に押し込んで容器本体１１を圧縮変形させることにより、容器本体１１内の内容物を空気と共に計量凹部１４Ａ内に吐出させる。これにより、効率よく内容物を計量できる。
さらに、吐出筒部３３を設けることにより、計量凹部１４Ａ内から被覆体１２の下壁部３１上に移した内容物が容器本体１１内に戻ることを抑制するので、内容物をより精度良く計量できる。
【００２４】
なお、本発明は上記実施形態に限定されるものではなく、本発明の趣旨を逸脱しない範囲において種々の変更を加えることができる。
例えば、吐出孔は、被覆体に少なくとも１つ形成されていればよく、複数形成されてもよい。
計量凹部は、塗布具に少なくとも１つ形成されていればよく、複数形成されてもよい。また、１つの計量凹部に対して少なくとも１つの吐出孔が対応していればよく、１つの計量凹部に対して複数の吐出孔から吐出させてもよい。
塗布具のうち計量凹部を画成する内面の形状は、半球状に限らず、錘状や柱状など、他の形状であってもよい。
塗布具は、弾性変形可能に形成されていなくてもよい。
吐出筒部は、内径及び外径が上下方向の全長にわたって一定であってもよく、上下方向に対して傾いて延在してもよく、他の形状であってもよい。また、吐出筒部を設けなくてもよい。
容器本体は、圧縮変形可能に形成されていなくてもよい。また、容器本体は、圧縮変形させた後に復元変形してもよく、復元変形しなくてもよい。
蓋体は、塗布具を圧縮変形させていなくてもよい。また、蓋体は、外殻体に対して螺着以外の他の装着方法によって装着されてもよい。
外殻体は、設けられていなくてもよく、外殻体が設けられている場合であっても、容器本体が圧縮変形可能に形成されておらず、被覆体が上下動可能でなくてもよい。
塗布具付き容器は、平面視で円形状をなしているが、楕円形状や角形状など、他の形状であってもよい。
塗布具付き容器は、倒立姿勢とすることによって内容物を計量凹部内に吐出させているが、塗布具付き容器を傾けることによって内容物を計量凹部内に吐出させてもよい。
塗布具付き容器は、計量凹部内に吐出させた内容物を被覆体上に移し、被覆体上の内容物を適量ずつ塗布しているが、計量凹部内に吐出させた内容物を被覆体上に移すことなく塗布具から内容物を被塗布面に直接塗布してもよい。ここで、内容物が液体である場合には、内容物を塗布具に染み込ませるなどして塗布具から被塗布面に塗布してもよい。
【産業上の利用可能性】
【００２５】
この発明によれば、定量の内容物の吐出操作が容易である塗布具付き容器に関して、産業上の利用可能性が認められる。
【符号の説明】
【００２６】
１  塗布具付き容器、１１  容器本体、１１Ａ  口部、１２  被覆体、１２Ａ  吐出孔、１３  蓋体、１４  塗布具、１５  外殻体、１４Ａ  計量凹部（計量空間）、３３  吐出筒部
【図１】
2018086223.tif 000003
【図２】
2018086223.tif 000004
【図３】
2018086223.tif 000005